(57)【要約】【課題】  本発明の課題は、ＮＭＲセンサーに必須のコイルを収納するためのスペースが十分であり、また渦電流などの悪影響がない片側開放型磁気回路を提供することである。【解決手段】  円筒軸方向に磁化された円筒型磁石の内周に沿って、円筒軸に垂直な方向に磁化された角形磁石を複数個対称に配列したことを特徴とする片側解放型磁気回路である。【選択図】        図６
2008268133.tif 000002
【特許請求の範囲】
【請求項１】
円筒軸方向に磁化された円筒型磁石の内周に沿って、円筒軸に垂直な方向に磁化された磁石を配列したことを特徴とする片側解放型磁気回路。
【請求項２】
円筒軸方向に磁化された円筒型磁石の内周に沿って、円筒軸に垂直な方向に磁化された角形磁石を複数個対称に配列したことを特徴とする片側解放型磁気回路。
【発明の詳細な説明】
【技術分野】
【０００１】
本発明は、片側開放型磁気回路に関するものである。
【背景技術】
【０００２】
核磁気共鳴（Nuclear Magnetic Resonance、以下ＮＭＲと略記）とは、磁石とコイルを用いて原子核の状態を測定する方法である。例えばコンクリート欠陥の評価においては、コンクリート中の空洞や亀裂中の水分子中の1H核（水素原子の原子核、プロトン）を測定する。このように、ＮＭＲは水分子を非破壊で直接的に計測できることを最大の特徴としており、弾性波や電気伝導度を用いた他の物理探査技術に比べて水の定量能力で抜きん出ている。
【０００３】
片側解放型磁気回路は、特許文献１、２にもあるように、コイルとともに、プロトンＮＭＲ表面スキャナーの心臓部分であるセンサーユニットを構成する。上手に工夫された磁気回路は磁石表面から数ｃｍ離れた空間に、磁束密度が均一な領域をかもしだす。これを感度領域という。
プロトンＮＭＲ表面スキャナーは、大きな試料表面（岩盤や農産物）をスキャンして、表面から数ｃｍ内部を屋外でしかも非破壊でリアルタイムにＮＭＲ分析できることを特徴とする。なお「ＮＭＲ分析」とは、水素原子を含む物質の緩和や拡散過程を計測することであり、その生データを解析することによって、例えば、水や油の量、水素を含む流体の拡散係数、流体分子の運動特性を評価できる。
【０００４】
また片側解放型磁気回路は、土木建設業における、水を含むコンクリートの養生過程や地盤・岩盤中の欠陥（亀裂など）の非破壊点検作業にも使える。図１ではコンクリート壁内部に隠れている、水で満たされた欠陥（空洞）をスキャンして、水分子中の水素原子核の歳差運動をセンサーで計測するものである。
また農林水産業における、獣肉及び魚肉の肉質の非侵襲評価、例えば、生牛内部をスキャンして牛肉の霜降り判定をしたり（図２）、マグロのトロの霜降り判定にも使える。
あるいは、石油井戸に装置をおろして、孔壁を核磁気共鳴（ＮＭＲ）でスキャンして、深度ごとの地層の含油量を推定することにも使える（非特許文献１参照）。
【０００５】
図３にあるような従来の片側開放型磁気回路は、ＮＭＲセンサーの感度領域のサイズが小さく、また磁束密度も弱い。そのため、水や脂肪に対する感度が悪く実用化において問題がある。それを解決する公知の磁気回路デザイン（特許文献２参照）も提案されてはいる(図４参照)が、ＮＭＲセンサーに必須のコイル（特許文献１、３参照）を収納するためのスペースが不十分であったり、導体である永久磁石と導体であるコイルの距離が接近しており渦電流などの悪影響で十分な電力パワーをコイルから発振できない、という欠点があった(図５参照)。
【特許文献１】特開平４−２４５８８号公報
【特許文献２】米国特許第６４８９８７２号明細書
【特許文献３】米国特許第４５９０４２７号明細書
【非特許文献１】Dunn K.-J.,Bergman D.J. and Latorraca G.A. 2002. Nuclear Magnetic Resonance Petrophysicaland Logging Applications. Pergamon, New York.
【発明の開示】
【発明が解決しようとする課題】
【０００６】
本発明の課題は、上記欠点を除去し、ＮＭＲセンサーに必須のコイルを収納するためのスペースが十分であり、また渦電流などの悪影響がない片側開放型磁気回路を提供することである。
【課題を解決するための手段】
【０００７】
上記課題は次のような手段により解決される。
（１）円筒軸方向に磁化された円筒型磁石の内周に沿って、円筒軸に垂直な方向に磁化された磁石を配列したことを特徴とする片側解放型磁気回路。
（２）円筒軸方向に磁化された円筒型磁石の内周に沿って、円筒軸に垂直な方向に磁化された角形磁石を複数個対称に配列したことを特徴とする片側解放型磁気回路。
【発明の効果】
【０００８】
本発明によれば、ＮＭＲセンサーに必須のコイルを収納するためのスペースが十分であり、また渦電流などの悪影響がない片側開放型磁気回路が得られる。
【発明を実施するための最良の形態】
【０００９】
本発明に係る片側解放型磁気回路の基本デザインは、図６に示すように、円筒軸方向に磁化された円筒型磁石の内周に沿って、円筒軸に垂直な方向に磁化された磁石を配列したものである。
図４では、円柱磁石を採用して、円筒磁石の内部に置いた。この円柱磁石の作る磁力線の概略を図８に示す。磁石内部の矢印は、磁石の磁化の方向である。ＮＭＲセンサーの感度領域（点線で囲った領域）では、磁力線は上下方向にほぼそろった均一な磁力線をかもしだしている。一方、磁化方向を横倒しした図６の角形磁石がつくりだす磁力線の概略を図９に示す。これも、点線で囲った領域では、磁力線は上下方向にほぼそろった均一な磁力線をかもしだしている。したがって、両者は等価であり、円柱磁石を角形磁石で置き換えれば、ＮＭＲセンサーの感度領域にほぼ同じ磁場を作ることができ、しかも、角形磁石を図６のように配置すれば、コイルを置くための広いスペースを確保できる（図７）。これが、基本的なアイデアである。
【００１０】
図１０は、図６の磁気回路の２種類のパーツ（円筒軸方向に磁化された円筒磁石と円筒軸に垂直な方向に磁化された角形磁石）が作り出すｚ軸上の磁束密度のｚ成分（Ｂｚ）の概略である。各パーツは、それぞれ独自のプロファイルを作るが、注目すべきは、増減の挙動が異なる点である。その結果、２カ所の暗色の区間（Ａ、Ｂ）では、両者の増加・減少のセンスが逆挙動を示している。したがって、両者を合成すれば、増減がうまくキャンセルされてほぼ平坦な（空間微分がほぼゼロの）Bz値、すなわち均一度の高い磁場空間（ＮＭＲセンサーの感度領域として使える空間）を、かもしだせる可能性がある。
【００１１】
この基本デザインを実証するため、磁場シミュレーションを行って、図６の磁気回路が図４と遜色のない磁場均一度空間を作ることができることを確認した。２種類の磁石パーツ（円筒軸方向に磁化された円筒磁石と円筒軸に垂直な方向に磁化された角形磁石）の寸法や互いの位置関係を記載した片側解放型磁気回路の具体的なデザインの一例を、図１１、１２に示した。図１１、１２は、複数（ｎ個）の磁石を組み上げた、ほぼ軸対称な磁石ユニットである。「ほぼ軸対称」というのは、角形磁石の配置が完全には軸対称にならないからである。各磁石内部の白抜き頭の矢印は、磁石の磁化の方向である。図４にあるような円柱磁石は、図６の片側解放型磁気回路には含まれていないが、図４に示す従来の片側解放型磁気回路との性能比較をするために、図１１、１２ではあえて、円柱磁石を記載してある。なお、シミュレーションでは、ＡＳＬ社の有限要素法による３次元静磁場シミュレーション用ソフトAMazeを使用した。
【００１２】
図１１、１２の片側解放型磁気回路が作り出す静磁場を３次元シミュレーションした結果を図１３〜１５に示す。これらの図は、磁束密度（Ｂ）のｚ成分（すなわちＢｚ）のラインプロファイル（１次元分布）である。磁場シミュレーションは、図１１、１２の３種類の磁石はすべて残留磁束密度が1.42Tのネオジム磁石とした。また、磁石以外の空間は真空の物性（透磁率等について）を与えた。
【００１３】
比較のため、本発明に係る図６の片側解放型磁気回路に加えて、従来の図３の円筒磁石のみ（図１１、１２から角形と円柱磁石を撤去）のケース、及び図４の円筒磁石と円柱磁石のペア（図１１、１２から角形磁石を撤去）のケースについても計算した。その磁石パラメータは、図３のケースについて、r1=15.5cm, t1=4cm, a1=20cmである。図４のケースについて、r1=15.5cm, t1=4cm, a1=20cm, t3=20cm, a3=5cm, b3=7.5cmである。図６のケースについて、r1=15.5cm, t1=4cm, a1=20cm, r2=7cm, t2=7cm, a2=5cm, b2=5.4cm, c2=4.5cm, n=10である。
【００１４】
図１３は、ｚ軸上(つまりx=y=0)における磁束密度（Ｂ）のｚ成分（すなわちＢｚ）のラインプロファイルを、３種類の磁気回路について図示した。ＮＭＲセンサーの感度領域（磁場均一区間）をＢｚの揺らぎが±１％以内の空間として定義し、その領域を図示してある。図１４、１５は、感度領域付近のＢｚの直交３方向（ｘ、ｙ、ｚ方向）のラインプロファイルを示す。ただし、Ｂｚ値は、感度領域の中心（探査深度の位置）における値で規格化した。感度領域をＢｚの揺らぎが±１％以内の空間（したがって、この図の縦軸の0.99〜1.01の範囲）として定義し、その感度領域のサイズを矢印で図示した。ただし、図３，４については、完全にｚ軸対称ゆえにｘ方向プロファイルとｙ方向プロファイルは完全に一致するので、ｘ方向プロファイルのみグラフ表示した。
【００１５】
図１３から分かるように、図３のケースは、探査深度つまり感度領域の位置が約１５ｃｍもあるものの、磁場の強さＢｚが３０ｍＴ程度しかない。しかも、図１４、１５から分かるように、Ｂｚの揺らぎが±１％以内の空間として定義したＮＭＲセンサーの感度領域（磁場均一区間）のサイズが、ｘ、ｙ方向にそれぞれ３．５ｃｍ、ｚ方向に２．４ｃｍしかない。このように感度領域の磁場が弱く、しかもサイズも小さいことは、ＮＭＲシグナル強度の低下をもたらすので好ましいことではない。
【００１６】
一方、図４のケースは、図１３にあるように探査深度で図３のケースより劣るものの、図１３〜１５にあるとおり、感度領域のＢｚ値の高さ（５６ｍＴ）及び感度領域のサイズの大きさの２点で上回っており、高いS/N比を約束してくれるという意味で価値のある片側解放型磁気回路である。さて、本発明に係る図６のケースは、図１３にあるように感度領域のＢｚ値で図４のケースよりほんの少し劣るものの（５６ｍＴよりわずかに小さい５２ｍＴ）、図１３〜１５にあるとおり、探査深度（ともに６．４ｃｍ）及び感度領域のサイズの大きさ（ともに、ｘ方向に８．０ｃｍ、ｚ方向に５．６ｃｍ）の２点で図４と同等である。磁石を半径ｒ２のスペースに置くことが許されないという厳しい制約条件にもかかわらず、図４と遜色のない感度領域をかもしだすことに成功した点を強調したい。
【００１７】
以上、まとめると、図６のケースで、片側解放型磁気回路の中央に半径7cm (図１１、１２でr2=7cm)のスペースを確保できた。このゆったりした空間を、コイル収納スペースに使える（図７）。それでいて、ＮＭＲセンサーの感度領域の位置、サイズ、及び磁束密度の強さは、公知の片側解放型磁気回路と遜色ないレベルを維持できた。
【産業上の利用可能性】
【００１８】
本発明に係る片側解放型磁気回路は、サンプルが大きくて固い、あるいは貴重であるがために破壊検査が困難なケースに適用できる。これを例示すると次のとおりである。
（１）油田のボーリング孔に入れて、孔壁をＮＭＲでスキャンして、深度ごとの地層の含油量を推定する。
（２）生きた肉牛や生マグロの表面スキャンをして、価格を左右する脂肪交雑（霜降りの程度）を推定する。
（３）土木建設業における、水を含むコンクリートの養生過程の監視や地盤・岩盤中の欠陥（水を含む亀裂など）の非破壊点検作業にも使える。
（４）天然記念物や文化財の検査にも使える。例えば樹齢千年の桜の表面をスキャンしてプロトン緩和時間の大小で健康状態を診断する。
【図面の簡単な説明】
【００１９】
【図１】片側開放型磁気回路を用いた核磁気共鳴（ＮＭＲ）表面スキャナーのイメージ図
【図２】片側開放型磁気回路を用いた核磁気共鳴（ＮＭＲ）表面スキャナーのイメージ図
【図３】片側解放型磁気回路の基本デザイン（円筒磁石のみ）。矢印は、磁石の磁化の方向。
【図４】片側解放型磁気回路の基本デザイン（軸方向に磁化された円柱磁石を追加したもの）
【図５】図４の片側解放型磁気回路のデザインの欠点
【図６】本発明に係る片側解放型磁気回路の基本デザイン（円筒軸に垂直な方向に磁化された角形磁石を円筒内部に追加したもの）
【図７】図６の片側解放型磁気回路のデザインの長所
【図８】図４の円柱磁石がつくりだす磁力線
【図９】図６の横倒しした角形磁石がつくりだす磁力線
【図１０】図６の片側解放型磁気回路が作り出す、ｚ軸上における、磁束密度ベクトル場のｚ方向成分 (Bz)の空間分布の概念図
【図１１】本発明に係る片側解放型磁気回路の縦断面図
【図１２】本発明に係る片側解放型磁気回路の横断面図
【図１３】本発明に係る片側解放型磁気回路がつくり出す静磁場の計算機シミュレーション結果
【図１４】本発明に係る片側解放型磁気回路のＮＭＲセンサーとしての感度領域付近の磁場成分（Ｂｚ）のｘ、ｙ方向の１次元プロファイル
【図１５】本発明に係る片側解放型磁気回路のＮＭＲセンサーとしての感度領域付近の磁場成分（Ｂｚ）のｚ方向の１次元プロファイル
【図３】
2008268133.tif 000003
【図４】
2008268133.tif 000004
【図５】
2008268133.tif 000005
【図６】
2008268133.tif 000006
【図７】
2008268133.tif 000007
【図８】
2008268133.tif 000008
【図９】
2008268133.tif 000009
【図１０】
2008268133.tif 000010
【図１１】
2008268133.tif 000011
【図１２】
2008268133.tif 000012
【図１３】
2008268133.tif 000013
【図１４】
2008268133.tif 000014
【図１５】
2008268133.tif 000015
【図１】
2008268133.tif 000016
【図２】
2008268133.tif 000017